(57)【要約】【課題】  ２つの容器に飲料や用水などを収容して保温保冷を行いながら必要に応じ使い分けることが手軽にでき、しかも構造が簡単で安価なものとする。【解決手段】  個別に貯液を行う２つの容器１、２を組み合わせ備え、一方の容器１を他方の容器２に貯液領域６を残すように嵌め入れて着脱できるように保持し、少なくとも他方の容器２を断熱構造として、上記の目的を達成する。【選択図】  図１
2005073778.tif 000002
【特許請求の範囲】
【請求項１】
個別に貯液を行う２つの容器を組み合わせ備え、一方の容器を他方の容器に貯液領域を残すように嵌め入れて着脱できるように保持し、少なくとも他方の容器を断熱構造としたことを特徴とする２液保温保冷容器。
【請求項２】
個別に貯液を行う２つの容器を組み合わせ備え、一方の容器を他方の容器に貯液領域を残すように嵌め入れて着脱できるように保持し、この保持状態の一方の容器によって他方の容器を閉栓するようにし、少なくとも他方の容器を断熱構造としたことを特徴とする２液保温保冷容器。
【請求項３】
個別に貯液を行う２つの容器を組み合わせ備え、一方の容器を他方の容器に貯液領域を残すように嵌め入れて着脱できるように保持し、少なくとも他方の容器を断熱構造とし、前記保持は、他方の容器の口部内周の小径な絞り形状部と一方の容器との嵌め合わせによって行うことを特徴とする２液保温保冷容器。
【請求項４】
個別に貯液を行う２つの容器を組み合わせ備え、一方の容器を他方の容器に貯液領域を残すように嵌め入れて着脱できるように保持し、少なくとも他方の容器を断熱構造とし、前記保持は、他方の容器の口部内周の小径な絞り形状部と一方の容器との嵌め合わせによる内シール部と、一方の容器の側周シール部材と他方の容器の口部の開口端との間の当接ないしは嵌め合わせによる外シール部とを持って行うことを特徴とする２液保温保冷容器。
【請求項５】
側周シール部材は、弾性シール部材である請求項４に記載の２液保温保冷容器。
【請求項６】
シール状態は、他方の容器の口部外周に着脱できるように装着したキャップによって覆うか、覆って保持するか、した請求項４、５のいずれか１項に記載の２液保温保冷容器。
【請求項７】
個別に貯液を行う２つの容器を組み合わせ備え、一方の容器を他方の容器に貯液領域を残すように嵌め入れて着脱できるように保持し、この保持状態の一方の容器によって他方の容器を閉栓するようにし、この閉栓状態は、他方の容器の口部外周に着脱できるように装着したキャップによって覆うか、覆って保持するか、し、少なくとも他方の容器を断熱構造としたことを特徴とする２液保温保冷容器。
【発明の詳細な説明】
【技術分野】
【０００１】
本発明は個別に貯液を行う２つの容器を組み合わせ利用した２液保温保冷容器に関するものである。
【背景技術】
【０００２】
近時、娯楽や各種のスポーツにおいて、お茶やコーヒー、紅茶などの嗜好性飲料、ミネラルウオーターや蒸留水などの浄水や清水、スポーツ飲料などの各種飲料や用水、用液が、容器に収容して、身近に置き、あるいは携行して、あるいは途中提供されて種々に用いられている。
【０００３】
いずれにしても、スポーツ飲料や嗜好上の飲料であっても複数種類持参し、また提供できれば好適であり、これには複数の容器がいる。また、スポーツ中、あるいはスポーツ終了時など、失った水分や養分を補給するための飲料が疲労回復や熱射病防止などのために重要であるのに加え、リフレッシュのための水掛けや衛生面からの手洗いなどのための用水や用液も併せ必要になることがある。これを満足するにも複数の容器が必要となる。
【０００４】
また、これらの各種の飲料や用水、用液はそれぞれの用途に見合った温度に保たれているのが好適であって、容器には保温保冷効果も望まれる。
【０００５】
従来、複数の容器を１つにして取り扱え、必要に応じた保温保冷もできる容器としては、通常の魔法瓶と、これの反そそぎ口方向に延長して設けた魔法瓶本体外筒およびその先端に設けた蓋と、外筒の内部にいれる哺乳瓶または湯冷まし容器とからなり、魔法瓶部と、哺乳瓶およびまたは湯冷まし容器を格納する格納容器とを２分し、枢着または嵌着する構造としたものが知られている（例えば、特許文献１参照。）。また、別に、汁容器、ご飯容器、采入れなど複数の容器を断熱容器内に収容し、適正温度が異なるものどうしの間では適当な断熱を図るようにしたランチジャーが知られている（例えば、特許文献２、３参照。）。
【特許文献１】特開平０６−１６５８１２号公報
【特許文献２】特開平０９−２１５５１５号公報
【特許文献３】特開２０００−１５２８８２号公報
【発明の開示】
【発明が解決しようとする課題】
【０００６】
しかし、魔法瓶と格納容器とは互いの底部と口部とが格納容器の蓋を介するなどして接続されたもので、魔法瓶の保温保冷機能が格納容器には及ばない。このため、魔法瓶側でしか保温保冷が行えず、２つの容器に飲料を収容して保温保冷し、利用に供するには適さない。これを解消するには格納容器の側にも断熱構造が必要になるので高価につく。また、特許文献２、３に記載のものは、収容する容器の全てにつき保温保冷はできるが、それら各容器に対する外側断熱壁をなすだけで、それ自体は保温保冷対象となる飲食品の収容スペースとしては生かされない。従って、飲料や用水を２つの容器に収容して保温保冷し、利用に供するには構造が徒に複雑になって高価につきすぎ適さない。さらに、特許文献１に記載のものも、特許文献２、３に記載のものも、２つの容器に収容した飲料や用水などを必要に応じ使い分けるにはその取り出しに手軽さが掛ける。
【０００７】
本発明の目的は、２つの容器に飲料や用水などを収容して保温保冷を行いながら必要に応じ使い分けることが手軽にでき、しかも構造が簡単で安価な２液保温保冷容器を提供することにある。
【課題を解決するための手段】
【０００８】
上記の目的を達成するために、本発明の２液保温保冷容器は、個別に貯液を行う２つの容器を組み合わせ備え、一方の容器を他方の容器に貯液領域を残すように嵌め入れて着脱できるように保持し、少なくとも他方の容器を断熱構造としたことを１つの特徴としている。
【０００９】
このような構成では、２つの容器は個別に貯液を行うが、一方の容器は他方の容器に貯液領域を残すように嵌め入れて着脱できるように保持するだけであるので、他方の容器と組み合わせたまま貯液を利用に供することができるし、一方の容器を取り外せば他方の容器は開放されそのまま貯液を利用に供することができ、どちらの容器の貯液でも必要に応じ手軽に利用することができる。また、少なくとも他方の容器が断熱容器であるだけで、それ自体による貯液を直接保温保冷することができるし、嵌め入れている一方の容器の貯液も同様に保温保冷することができるので、かさ低く、簡単かつ安価な構造にて２つの容器のいずれの貯液も用途に適した温度で提供することができる。しかも、２つの容器の貯液の適正温度が異なっても、一方の容器を断熱構造とすることで、互いの影響なくいずれの貯液もそれぞれに適正な温度に保って利用に供することができる。
【００１０】
また、本発明の２液保温保冷容器は、個別に貯液を行う２つの容器を組み合わせ備え、一方の容器を他方の容器に貯液領域を残すように嵌め入れて着脱できるように保持し、この保持状態の一方の容器によって他方の容器を閉栓するようにし、少なくとも他方の容器を断熱構造としたことを他の特徴としている。
【００１１】
このような構成では、２つの容器は個別に貯液を行うが、一方の容器は他方の容器に貯液領域を残すように嵌め入れて着脱できるように保持するだけであるので、他方の容器と組み合わせたまま貯液を利用に供することができるし、一方の容器を取り外せば他方の容器は開栓されそのまま貯液を利用に供することができ、どちらの容器の貯液でも必要に応じ手軽に利用することができる。また、少なくとも他方の容器が断熱容器であるだけで、それ自体による貯液を直接保温保冷することができるし、嵌め入れている一方の容器の貯液も同様に保温保冷することができるので、かさ低く、簡単かつ安価な構造にて２つの容器のいずれの貯液も用途に適した温度で提供することができる。しかも、２つの容器の貯液の適正温度が異なっても、一方の容器を断熱構造とすることで、互いの影響なくいずれの貯液もそれぞれに適正な温度に保って利用に供することができる。特に、一方の容器自体が他方の容器への嵌め入れによってそれを閉じる栓機能を発揮するので、構造や一方の容器の着脱、それに伴う他方の容器の閉栓や開栓が簡単になる。
【００１２】
また、本発明の２液保温保冷容器は、個別に貯液を行う２つの容器を組み合わせ備え、一方の容器を他方の容器に貯液領域を残すように嵌め入れて着脱できるように保持し、少なくとも他方の容器を断熱構造とし、前記保持は、他方の容器の口部内周の小径な絞り形状部と一方の容器との嵌め合わせによって行うことを別の特徴としている。
【００１３】
このような構成では、２つの容器は個別に貯液を行うが、一方の容器は他方の容器に貯液領域を残すように嵌め入れて着脱できるように保持するだけであるので、他方の容器と組み合わせたまま貯液を利用に供することができるし、一方の容器を取り外せば他方の容器は開放されそのまま貯液を利用に供することができ、どちらの容器の貯液でも必要に応じ手軽に利用することができる。また、少なくとも他方の容器が断熱容器であるだけで、それ自体による貯液を直接保温保冷することができるし、嵌め入れている一方の容器の貯液も同様に保温保冷することができるので、かさ低く、簡単かつ安価な構造にて２つの容器のいずれの貯液も用途に適した温度で提供することができる。しかも、２つの容器の貯液の適正温度が異なっても、一方の容器を断熱構造とすることで、互いの影響なくいずれの貯液もそれぞれに適正な温度に保って利用に供することができる。特に、一方の容器自体で、他方の容器の口部内周の小径な絞り形状部との簡易な嵌め合わせによって十分な保持力と閉じ状態ないしは栓機能が得られる。
【００１４】
また、本発明の２液保温保冷容器は、個別に貯液を行う２つの容器を組み合わせ備え、一方の容器を他方の容器に貯液領域を残すように嵌め入れて着脱できるように保持し、少なくとも他方の容器を断熱構造とし、前記保持は、他方の容器の口部内周の小径な絞り形状部と一方の容器との嵌め合わせによる内シール部と、一方の容器の側周シール部材と他方の容器の口部の開口端との間の当接ないしは嵌め合わせによる外シール部とを持って行うことを今１つの特徴としている。
【００１５】
このような構成では、２つの容器は個別に貯液を行うが、一方の容器は他方の容器に貯液領域を残すように嵌め入れて着脱できるように保持するだけであるので、他方の容器と組み合わせたまま貯液を利用に供することができるし、一方の容器を取り外せば他方の容器は開放されそのまま貯液を利用に供することができ、どちらの容器の貯液でも必要に応じ手軽に利用することができる。また、少なくとも他方の容器が断熱容器であるだけで、それ自体による貯液を直接保温保冷することができるし、嵌め入れている一方の容器の貯液も同様に保温保冷することができるので、かさ低く、簡単かつ安価な構造にて２つの容器のいずれの貯液も用途に適した温度で提供することができる。しかも、２つの容器の貯液の適正温度が異なっても、一方の容器を断熱構造とすることで、互いの影響なくいずれの貯液もそれぞれに適正な温度に保って利用に供することができる。特に、一方の容器自体で他方の容器の口部内周の小径な絞り形状部との簡易な嵌め合わせによる内シール部によって十分な保持力と閉じ状態ないしは栓機能が得られるのに加え、一方の容器の側周シール部材と他方の容器の口部の開口端との間の当接ないしは嵌め合わせる外シール部でも閉じ状態ないしは栓機能が得られるし、嵌め合わせによれば保持力も得られる。従って、構造や一方の容器の着脱、それに伴う他方の容器の開閉が簡単になるし、２つの容器間で十分なシール機能が得られる。
【００１６】
側周シール部材が、弾性シール部材である、さらなる構成では、
外シール部でのシールが弾性シール部材による密着性にてさらに高いシール性、保持力が得られる。
【００１７】
シール状態を、他方の容器の口部外周に着脱できるように装着したキャップによって覆うか、覆って保持するか、した、さらなる構成では、
内外シール部の外側をさらにキャップによって閉じる二重の閉じ構造が得られるので、貯液が漏れ出にくくすることができるし、このキャップによる閉じ構造によって一方の容器を他方の容器との内外シール状態に保持するとシール機能をさらに高めることができる。
【００１８】
また、本発明の２液保温保冷容器は、個別に貯液を行う２つの容器を組み合わせ備え、一方の容器を他方の容器に貯液領域を残すように嵌め入れて着脱できるように保持し、この保持状態の一方の容器によって他方の容器を閉栓するようにし、この閉栓状態は、他方の容器の口部外周に着脱できるように装着したキャップによって覆うか、覆って保持するか、し、少なくとも他方の容器を断熱構造としたことをさらなる特徴としている。
【００１９】
このような構成では、２つの容器は個別に貯液を行うが、一方の容器は他方の容器に貯液領域を残すように嵌め入れて着脱できるように保持するだけであるので、他方の容器と組み合わせたまま貯液を利用に供することができるし、一方の容器を取り外せば他方の容器は開栓されそのまま貯液を利用に供することができ、どちらの容器の貯液でも必要に応じ手軽に利用することができる。また、少なくとも他方の容器が断熱容器であるだけで、それ自体による貯液を直接保温保冷することができるし、嵌め入れている一方の容器の貯液も同様に保温保冷することができるので、かさ低く、簡単かつ安価な構造にて２つの容器のいずれの貯液も用途に適した温度で提供することができる。しかも、２つの容器の貯液の適正温度が異なっても、一方の容器を断熱構造とすることで、互いの影響なくいずれの貯液もそれぞれに適正な温度に保って利用に供することができる。特に、一方の容器自体が他方の容器への嵌め入れによってそれを閉じる栓機能を発揮するので、構造や一方の容器の着脱、それに伴う他方の容器の閉栓や開栓が簡単になる。併せて、前記閉栓状態の外側をキャップによって覆う二重栓構造となるので、貯液が漏れ出にくくすることができるし、このキャップによる閉じ構造によって一方の容器を他方の容器との閉栓状態に保持すると栓機能をさらに高めることができる。
【００２０】
本発明のそれ以上の目的および特徴は、以下に続く詳細な説明および図面の記載によって明らかになる。本発明の各特徴はそれ自体単独で、あるいは種々な組合せで複合して採用することができる。
【発明の効果】
【００２１】
本発明の２液保温保冷容器の１つの特徴によれば、どちらの容器の貯液でも必要に応じ手軽に利用することができる。また、かさ低く、簡単かつ安価な構造にて２つの容器のいずれの貯液も用途に適した温度で提供することができる。２つの容器の貯液の適正温度が異なっても一方の容器を断熱構造としてそれぞれの温度を保って利用に供することができる。
【００２２】
本発明の２液保温保冷容器の他の特徴によれば、どちらの容器の貯液でも必要に応じ手軽に利用することができる。また、かさ低く、簡単かつ安価な構造にて２つの容器のいずれの貯液も用途に適した温度で提供することができる。２つの容器の貯液の適正温度が異なっても一方の容器を断熱構造としてそれぞれの温度を保って利用に供することができる。特に、構造や一方の容器の着脱、それに伴う他方の容器の閉栓や開栓が簡単になる。
【００２３】
本発明の２液保温保冷容器の別の特徴によれば、どちらの容器の貯液でも必要に応じ手軽に利用することができる。また、かさ低く、簡単かつ安価な構造にて２つの容器のいずれの貯液も用途に適した温度で提供することができる。しかも、２つの容器の貯液の適正温度が異なっても一方の容器を断熱構造としてそれぞれの温度を保って利用に供することができる。特に、一方の容器自体で他方の容器との簡易な嵌め合わせによって十分な保持力と閉じ状態ないしは栓機能が得られる。
【００２４】
本発明の２液保温保冷容器の今１つの特徴によれば、どちらの容器の貯液でも必要に応じ手軽に利用することができる。また、かさ低く、簡単かつ安価な構造にて２つの容器のいずれの貯液も用途に適した温度で提供することができる。しかも、２つの容器の貯液の適正温度が異なっても一方の容器を断熱構造としてそれぞれの温度を保って利用に供することができる。特に、一方の容器自体が他方の容器との簡易な嵌め合わせで内外二重のシール部をなして保持されて十分な閉じ状態ないしは栓機能を実現するので、構造や一方の容器の着脱、それに伴う他方の容器の開閉が簡単になるし、２つの容器間を十分にシールすることができる。
【００２５】
側周シール部材が、弾性シール部材である、さらなる構成によれば、外シール部でのシール性、保持力をさらに高められる。
【００２６】
シール状態を、他方の容器の口部外周に着脱できるように装着したキャップによって覆うか、覆って保持するか、した、さらなる構成によれば、内外シール部とキャップとの二重の閉じ構造によって貯液がより漏れ出にくくなるし、そのような状態をキャップにて確固に保持することもできる。
【００２７】
本発明の２液保温保冷容器のさらなる特徴によれば、どちらの容器の貯液でも必要に応じ手軽に利用することができる。また、かさ低く、簡単かつ安価な構造にて２つの容器のいずれの貯液も用途に適した温度で提供することができる。しかも、２つの容器の貯液の適正温度が異なっても一方の容器を断熱構造としてそれぞれの温度を保って利用に供することができる。特に、一方の容器自体が他方の容器への嵌め入れにて栓機能を発揮するので、構造や一方の容器の着脱、それに伴う他方の容器の閉栓や開栓が簡単になる上、さらにその外側をキャップが覆う二重栓構造によって貯液がより漏れ出にくくなり、かつ、一方の容器を他方の容器に対する閉栓状態に保持することもできる。
【発明を実施するための最良の形態】
【００２８】
以下、本発明の最良の実施の形態につき幾つかの例を示した図１〜図３を参照しながら説明し、本発明の理解に供する。
【００２９】
本実施の形態の２液保温保冷容器は、図１に示す例、図２に示す例、図３に示す例のように、一方の容器１と、これを嵌め入れる他方の容器２とを組み合わせ備え、互いに個別に貯液を行う独立した容器どうしとしてある。少なくとも他方の容器２を、断熱構造を有したものとする。容器２は図示する例では金属製の内外容器３、４間を真空空間５とした金属製の真空二重容器としてある。特に、内外容器３、４の金属材料は熱伝導性の低いステンレス鋼を採用して、保温性の高いものとするとともに耐食性のよいものとしてある。これによって、容器２は冷たい内容物は保冷することになり、暖かい内容物は保温することになる。しかし、断熱構造はどのようにしたものでもよい。例えば真空二重構造でもステンレス鋼以外の金属材料、金属以外の合成樹脂材料やセラミックなどによるものでもよいし、断熱材料を巻き付けたり、充填したもの、断熱材料を充填してしかも真空としたものなど、種々な断熱構造を採用することができる。
【００３０】
これら容器１、２を用いるのに、一方の容器１を他方の容器２に対し図１、図３にそれぞれ例示するような貯液領域６を残すように嵌め入れて着脱できるように保持している。これにより、２つの容器１、２による２種の貯液を１つに組み合わせて簡易に取り扱える。その際、一方の容器１は他方の容器２に貯液領域６を残すように嵌め入れて着脱できるように保持するだけであるので、開閉の要否に関係なく容器２と組み合わせたままで貯液を利用に供することができる。また、一方の容器１を取り外せば他方の容器２は開放されそのまま貯液を利用に供することができる。従って、容器１、２のどちらの貯液でも必要に応じ手軽に利用することができる。少なくとも他方の容器２が断熱容器であるだけで、容器２自体による貯液を直接保温保冷することができるし、容器２に嵌め入れている容器１の貯液も同様に保温保冷することができる。従って、かさ低く、簡単かつ安価な構造にて２つの容器１、２のいずれの貯液も用途に適した温度で提供することができる。２つの容器１、２の貯液の適正温度が異なるときは、一方の容器１をも断熱構造とすることで、互いの影響なくいずれの貯液もそれぞれに適正な温度に保って利用に供することができる。
【００３１】
容器１の容器２への嵌め入れは容器２の口部２ａを通じて行われ、主として口部２ａに容器１を着脱できるように保持すればよいが、最も単純には容器１を容器２の口部２ａに嵌め入れるだけで保持できる。それには、容器１を容器２の口部２ａなどに止まり嵌め程度の嵌合度を持って嵌め入れればよいし、容器１自体の弾性やそれに装着したあるいはインサート成形などして設けた弾性部の弾性を利用して着脱できるように嵌め入れたりしてもよい。また、容器１に容器２の口部２ａへの載置部や、口部２ａへの被さり部によって保持されるようにしてもよい。このような容器１、２を１つに組み合わせての取り扱い上からは、容器２を持って逆さにしても容器１が脱落せず、かつ容器２内の貯液が漏れでないようにするのが取り扱いやすく好適である。また、容器１自体も貯液が不用意に漏れ出ることのないものが好適である。しかし、用途や取り扱い方によってはこれに限られることはない。
【００３２】
図１に示す例では、容器１はブロー成形などによる樹脂製の容器としてあり、その上端の細口部１ａをねじ部７によって着脱できるように装着した樹脂製のキャップ８によって閉じ、キャップ８に設けた吸口８ａに容器１内の底部にまで延びたストロー９を接続し、吸口８ａから容器１内の貯液を吸い飲みできるようにしている。従って、容器１内の貯液は容器１を把持して歩きながらでも、走りながらでもこぼしたりしないで容易に、かつ確実に飲むことができる。また、口を汚したりしにくいし、少量ずつ飲んだり供給したりするのにも好適である。吸口８ａは樹脂製の小さな補助キャップ１１を被せつけて閉じ、不用意な貯液の漏出がないようにしている。補助キャップ１１はキャップ８の一部との間に一対形成した樹脂紐１１ａによってキャップ８に連結されて、単独で落ちたり紛失したりしないようにしている。また、容器２は容器１の取り外しによって大きく開放されるので、貯液を多量に直飲みしたり多量に流し出して利用したりするのに好適である。
【００３３】
また、容器２に嵌め入れられる容器１はその嵌め入れ方によって、容器１自体が容器２を閉栓する栓機能を奏するものであるし、同時に、そのような栓機能上の容器２への嵌め入れによって着脱できるように保持されるようにもなる。図１に示すような樹脂製の容器１はその胴部まわりに弾性を有しているので、容器２の口部２ａに嵌め入れることによってそれを閉栓し、かつその状態に保持されるのに好都合である。このように容器１自体が容器２への嵌め入れによってそれを閉じる栓機能を発揮すると、構造や容器１の着脱、それに伴う容器２の閉栓や開栓が簡単になる。
【００３４】
図１に示す例では、特に、容器１は容器２の口部２ａ内周の小径な絞り形状部２ｂとの嵌め合わせによって閉栓し、かつその状態に保持するようにしている。絞り形状部２ｂは容器２が金属製の真空二重容器であることによって、それを構成する内容器３の口部３ａの軸線方向一部を絞り加工して形成し、内容器３および真空二重容器である容器２の口部径を胴部径に対して小さく絞ることによって、口部３ａ、２ａを通じた熱の逃げを抑制し、保温効果が高まるようにしている。このような、容器１自体の、容器２の口部２ａ内周の小径な絞り形状部２ｂとの簡易な嵌め合わせによって十分な保持力と閉じ状態ないしは栓機能が得られる。
【００３５】
さらに、図１に示す例では、前記容器２の口部２ａ内周の小径な絞り形状部２ｂと容器１との嵌め合わせによる内シール部１２に加え、容器１の側周シール部材１３と容器２の口部２ａの開口端２ｃとの間の当接ないしは嵌め合わせによる外シール部１４を有して、容器１による容器２の閉栓と、その状態の保持とを行っている。これにより、容器１自体で容器２の口部内周の小径な絞り形状部２ｂとの簡易な嵌め合わせによる内シール部１２によって十分な保持力と閉じ状態ないしは栓機能が得られるのに加え、容器１の側周シール部材１３と容器２の口部２ａの開口端２ｃとの間の当接ないしは嵌め合わせによる外シール部１４でも閉じ状態ないしは栓機能が得られるし、図１に示すような嵌め合わせによれば保持力も得られる。従って、構造や容器１の着脱、それに伴う容器２の開閉が簡単になるし、２つの容器１、２間で十分なシール機能が得られる。なお、側周シール部材１３は樹脂やゴムなどよりなる弾性シール部材としてあり、外シール部１４でのシールが弾性シール部材による密着性にてさらに高いシール性、保持力が得られる。
【００３６】
なお、図１には示していないが、図３に示すコップを兼用するようなキャップ２１を袴壁５１に代えて容器２に着脱できるように装着することによって、容器１による容器２に対する閉栓状態、閉じ状態またはシール状態を覆うか、覆って保持するか、することができる。そのようにすると、内外シール部１２、１４の外側をさらにキャップ２１によって閉じる二重の閉じ構造が得られるので、貯液が漏れ出にくくすることができるし、このキャップ２１による閉じ構造によって容器１を容器２との内外シール状態、閉じ状態または閉栓状態に保持すると、シール機能、閉じ機能または閉栓機能をさらに高めることができる。キャップ２１の装着には容器１の口部１ａの外周に形成したねじ２２を用いるのが好適である。しかし、ねじのかわりにヘリコイドや弾性的な嵌め合わせ構造を採用することができる。外シール部１４は容器１に対し別部材を嵌め合せて接着などして取り付けたものであるが、容器１の側周に形成した凹溝に嵌め合せて装着してもよいし、容器１を着脱する際の指掛け部とすることができる。しかし、図示する例では容器１の側周シール部材１３を装着している直ぐ上の部分に弾性ブッシュ２３を装着して接着などにより取り付けてあり、側周シール部材１３の脱落を防止するとともに、容器１を容器２に対して着脱するときのグリップをなすようにしている。これにより、容器１を弾性ブッシュ２３の部分にて滑りなく感触よく把持して、容器２に対し容易にかつ素早く着脱することができる。
【００３７】
また、容器１と容器２の口部２ａ内周の絞り形状部２ｂとの間の内シール部１２のシール構造は、既述した側周シール部材１３を、それと共に、あるいは別途用いて絞り形状部２ｂに上方から圧着させるようにしてもよい。また、容器１、２間のシールは水密状態とするのが好適であるが、用途によっては簡易シール程度でもよい。
【００３８】
さらに、２つの容器１、２は、飲料用のほか、調味料用、医療用、化学用、混合用などに用いることができる。
【００３９】
図２に示す例では、容器１に、容器２の口部２ａの内周に形成されているねじ２４とのねじ合わせにより着脱できるように装着する左側仮想線で示すようなねじ２５を形成し、容器１を装着した状態で容器１自体に形成したビード部２６を容器２の口部２ａの内周の絞り形状部２ｂに上方から押し当てるようにして内シール部１２を構成するようにしてある。これにより内シール部１２は特別な部材を用いないで容器１のねじ２５を利用した装着による押圧力を利用して高いシール機能を発揮させられる。このため、図１に示す場合の外シール部１４は省略することができる。しかし、併用することもできる。なお、容器１に図２に右側仮想線で示すような袴壁５１を設けて、この袴壁５１をその内周のねじ５１ａを容器２の口部２ａ外周のねじ２２にねじ合わせるなどして容器１を着脱できるように装着して、容器２との閉じ状態、閉栓状態、シール状態を保持することができる。
【００４０】
図３に示す例では先に引用したキャップ２１を有し、このキャップ２１を容器２の口部２ａの外まわりに着脱できるように装着して、容器２にその口部２ａを通じ嵌め入れた容器１をその嵌め入れ状態に保持し、容器２を容器１による閉じ状態、閉栓状態またはシール状態を保つようにしてある。キャップ２１の装着のために、容器２の口部２ａ外周にあるねじ２２を利用して着脱、丸洗いできるように樹脂製の肩部材３１を設け、この肩部材３１の外周に形成したねじ３２によりキャップ２１を仮想線で示すように着脱できるように装着している。これにより、キャップ２１の胴径を容器２の口部２ａのそれよりも大きくしやすい。しかし、キャップ２１は容器２に直に装着することもできる。肩部材３１にはハンドル３３が一体に形成され、かつ吊紐装着部３４が一体に形成されている。
【００４１】
容器１は図３に仮想線で示すように装着されたキャップ２１によって押圧される肩部４１と、この肩部４１を押圧されることによって容器２の口部２ａの開口端２ｃに圧着させられて外シール部１４をなす外周への張り出し部４２と、肩部４１を押圧されることによって容器２の口部２ａ内周の絞り形状部２ｂに上方から圧着されて内シール部１２をなす段差部４３とが一体形成されている。また、キャップ２１の天井壁内面の中央部にシール部材４４が設けられていて、キャップ２１が容器２に装着されたとき、シール部材４４が容器１のノズル口１ｂから自身の弾性あるいはばねの付勢によって突出しているストロー９の吸口９ａを押圧して押し戻しノズル口１ｂとともに閉じるようにしてある。
【００４２】
なお、上記図１、図２、図３に示す各例において、容器１を容器２の栓として利用するのに、閉じた容器１を上下逆さにして容器２の口部２ａに嵌め入れて、その内周のねじ２４またはおよび外周のねじ２２を利用して装着するようにもできる。
【産業上の利用可能性】
【００４３】
広く普及している断熱容器の用途を広げるもので産業上利用できるのは勿論、各種２液の取り扱いに便宜が図れる。
【図面の簡単な説明】
【００４４】
【図１】本発明の実施の形態に係る２液保温保冷容器の１つの例を示す半部を断面して見た側面図である。
【図２】本発明の実施の形態に係る２液保温保冷容器の他の例を示す半部を断面して見た一部側面図である。
【図３】本発明の実施の形態に係る２液保温保冷容器の別の例を示す断面図である。
【符号の説明】
【００４５】
１、２   容器
１ａ、２ａ  口部
２ｂ  絞り形状部
２ｃ  開口端
５  真空空間
６  貯液領域
８、２１  キャップ
８ａ  吸口
９  ストロー
１１  補助キャップ
１２  内シール部
１３  側周シール部材
１４  外シール部
２２、２４、２５、３２、５１ａ  ねじ
２６  ビード部
４２  張り出し部
４３  段差部
５１  袴壁
【図１】
2005073778.tif 000003
【図２】
2005073778.tif 000004
【図３】
2005073778.tif 000005